(57)【要約】【課題】温度センサを用いて着霜を判断しても誤判定のないデフロスト制御を実現できる空気調和機を提供する。【解決手段】室外熱交換器２４の温度を検知する温度検知手段２５と、室外熱交換器２４に熱を与えて霜を溶かす通常デフロスト運転モードと、通常デフロスト運転モードよりもより多くの熱を室外熱交換器２４に与えて霜を溶かす強化デフロスト運転モードと、を有する制御手段と、を備える。そして、制御手段は、デフロストを開始すると判定した後、温度検知手段２５からの温度情報に基づく室外熱交換器２４の温度上昇率に応じて通常デフロスト運転モードと強化デフロスト運転モードとを選択する。【選択図】      図２
2004232981.tif 000002
【特許請求の範囲】
【請求項１】
室外気との間で熱交換を行う室外熱交換器と、
当該室外熱交換器の温度を検知する温度検知手段と、
前記室外熱交換器に熱を与えて霜を溶かす通常デフロスト運転モードと、当該通常デフロスト運転モードよりもより多くの熱を室外熱交換器に与えて霜を溶かす強化デフロスト運転モードと、を有する制御手段と、
を備える空気調和機であって、
前記制御手段は、デフロストを開始すると判定した後、前記温度検知手段からの温度情報に基づく前記室外熱交換器の温度上昇率に応じて通常デフロスト運転モードと強化デフロスト運転モードとを選択することを特徴とする空気調和機。
【請求項２】
前記制御手段は、前記強化デフロスト運転モードを選択後、前記温度検知手段からの温度情報を取得し、当該温度情報に基づく前記室外熱交換器の強化デフロスト時温度上昇率に応じて、前記強化デフロスト運転モードの繰り返しを判断することを特徴とする請求項１に記載の空気調和機。
【請求項３】
前記制御手段は、前記温度検知手段を介して取得した温度情報がデフロスト運転終了温度を満たすと判定した後に、一定時間、前記デフロスト運転モードを継続する延長デフロスト運転モードを有することを特徴とする請求項１または請求項２に記載の空気調和機。
【請求項４】
室外気との間で熱交換を行う室外熱交換器と、
当該室外熱交換器の温度を検知する温度検知手段と、
前記室外熱交換器に熱を与えて霜を溶かす通常デフロスト運転モードと、当該通常デフロスト運転モードよりもより多くの熱を室外熱交換器に与えて霜を溶かす強化デフロスト運転モードと、を有する制御手段と、を備える空気調和機のデフロスト制御方法であって、
前記制御手段が、
デフロストを開始すると判定した後、前記温度検知手段からの温度情報に基づく前記室外熱交換器の温度上昇率に応じて通常デフロスト運転モードと強化デフロスト運転モードとを選択し実行することを特徴とする空気調和機のデフロスト制御方法。
【請求項５】
前記制御手段は、前記強化デフロスト運転モードを選択後、前記温度検知手段からの温度情報を取得し、当該温度情報に基づく前記室外熱交換器の強化デフロスト時温度上昇率に応じて、前記強化デフロスト運転モードの繰り返しの要否を判断し、
前記強化デフロスト運転モードの繰り返しを要すると判断した場合には、前記デフロストを開始すると判定した後、強化デフロスト運転モードを実行することを特徴とする請求項４に記載の空気調和機のデフロスト制御方法。
【請求項６】
前記制御手段は、前記強化デフロスト運転モードの繰り返しを要すると判断した場合に強化デフロスト強制回数を設定し、
当該強化デフロスト強制回数に応じて、前記デフロストを開始すると判定した後、強化デフロスト運転モードを実行する処理を繰り返すことを特徴とする請求項５に記載の空気調和機のデフロスト制御方法。
【請求項７】
前記制御手段は、前記温度検知手段を介して取得した温度情報がデフロスト運転終了温度を満たすと判定した後に、一定時間、前記デフロスト運転モードを継続することを特徴とする請求項４乃至請求項６に記載の空気調和機のデフロスト制御方法。
【発明の詳細な説明】
【０００１】
【発明の属する技術分野】
本発明は、デフロスト運転を行う空気調和機および該空気調和機のデフロスト制御方法に係り、特に、温度をパラメータとしたデフロスト運転を行う空気調和機および該空気調和機のデフロスト制御方法に関する。
【０００２】
【従来の技術】
従来、空気調和機の室外熱交換器に着いた霜を取り除く除霜処理、いわゆるデフロストには、室外熱交換器に高温高圧冷媒を供給することにより室外熱交換器の温度を上げる方式が一般に用いられており、温度センサを用いて予め設定した温度に到達した場合、もしくは予め設定した時間が経過した場合に、デフロスト運転を終了する制御を行っていた。
【０００３】
具体的に、図６を用いて従来の空気調和機を説明する。ここで、図６は上述した従来の空気調和機の冷媒回路の一例を示す概略構成図である。
図６に示したように、空気調和機５は、室内と室外との間で熱搬送を行うべく、室外機６と室内機７とを有しており、各々は熱搬送媒体である冷媒を循環させる冷媒配管８により接続される。室外機６は、圧縮機６１、四方弁６２、膨張弁６３、室外熱交換器６４、室外熱交換器温度センサ６５，６６，６７、及び電磁弁６８等を備える。一方、室内機７は、室内熱交換器７１、室内熱交換器温度センサ７２等を備える。
【０００４】
上述した空気調和機においては、暖房運転時は、圧縮機６１で圧縮された高温高圧の冷媒ガスが、四方弁６２を通過した後、室内機７側の室内熱交換器７１に入る。この室内熱交換器７１において、不図示の室内ファンにより付勢された室内気と熱交換して冷媒が凝縮、液化することにより、結果として加熱された室内気が室内に戻される。
【０００５】
そして、液化した冷媒は室外機６側に戻り、膨張弁６３で断熱膨張して減圧された後、室外熱交換器６４に入る。室外熱交換器６４において、不図示の室外ファンにより付勢された室外気と熱交換して冷媒は吸熱する。吸熱してガス化した冷媒は、再び圧縮機６１に戻り、高温高圧の冷媒ガスとなって吐出される。以上が暖房運転時のサイクルである。
【０００６】
ここで、低外気温時の暖房運転において、室外熱交換器６４に着霜した場合には、室外熱交換器６４の有効面積が減少して暖房能力の低下を招くので、これを防止するため、電磁弁６８を開放して、圧縮機６１から高温高圧の冷媒を室外熱交換器６４に供給し、除霜を行う。
【０００７】
図６に示した空気調和機においては、温度センサ６５，６６，６７が検知した温度に基づき着霜しているかどうかを判定する方式を採用するが、特に、室外熱交換器６４での着霜の生成順序に着目し、これに応じた除霜を行うべく、室外熱交換器５の入口部、出口部、及び内部に設置された温度センサ６５，６６，６７の検知温度に基づいて室外熱交換器６４の着霜状態を判定する。
【０００８】
そして、判定結果に基づき、着霜の初期であるのか否かを判断し、着霜の初期であれば短時間除霜制御を行い、全面的に凍結している場合には通常の除霜制御を行う（例えば、特許文献１参照）。
【０００９】
【特許文献１】
特開平７−１０３６２３号公報
【００１０】
【発明が解決しようとする課題】
しかしながら、上述した従来の制御構成では、温度センサ６５，６６，６７が検出した検出温度のみにより着霜状況を判定する場合、着霜しているか否か、初期段階での室外熱交換器６４における着霜領域を判定項目とする場合には好適であるが、どの程度の凍結レベルであるかを判定するのは困難である。
【００１１】
特に、室外熱交換器６４の背面部側、具体的には不図示の室外ファンにより形成される外気空気流の上流側となる部位が一度氷結した場合、室外熱交換器６４のフィンと残氷との間に熱が篭もり易くなり、氷が無い場合よりも温度が上昇しやすくなる。このため、着霜初期には有効な複数の温度センサを用いる構成を採用しても、通常の氷結状態になってしまった後では、温度センサからの情報では除霜完了と判断されても霜が融解することなくデフロスト運転が終了してしまうと言う欠点があった。
【００１２】
【発明の目的】
本発明は、室外熱交換器における着霜の解凍に際して、温度センサを用いて着霜の状態を判断しても誤判定のないデフロスト制御を実現できる空気調和機を提供することを目的とする。さらには、着霜の状態に応じて確実に除霜できるデフロスト制御方法を提供することを目的とする。
【００１３】
【課題を解決するための手段】
上記目的を達成するため、請求項１に記載の発明では、室外気との間で熱交換を行う室外熱交換器と、当該室外熱交換器の温度を検知する温度検知手段と、前記室外熱交換器に熱を与えて霜を溶かす通常デフロスト運転モードと、当該通常デフロスト運転モードよりもより多くの熱を室外熱交換器に与えて霜を溶かす強化デフロスト運転モードと、を有する制御手段と、を備える空気調和機であって、前記制御手段は、デフロストを開始すると判定した後、前記温度検知手段からの温度情報に基づく前記室外熱交換器の温度上昇率に応じて通常デフロスト運転モードと強化デフロスト運転モードとを選択する構成を採用する。
【００１４】
本発明では、室外熱交換器に熱を与えて霜を溶かす通常デフロスト運転モードと、当該通常デフロスト運転モードよりもより多くの熱を室外熱交換器に与えて霜を溶かす強化デフロスト運転モードと、を有する制御手段がデフロストを開始すると判定した後の前記温度検知手段からの温度情報に基づく前記室外熱交換器の温度上昇率に応じて通常デフロスト運転モードと強化デフロスト運転モードとを選択するので、温度センサを用いて着霜の状態を的確に判断でき、過不足のない熱量を与えて除霜することができる。
【００１５】
また、請求項２に記載の発明では、前記制御手段は、前記強化デフロスト運転モードを選択後、前記温度検知手段からの温度情報を取得し、当該温度情報に基づく前記室外熱交換器の強化デフロスト時温度上昇率に応じて、前記強化デフロスト運転モードの繰り返しを判断する。
【００１６】
本発明では、強化デフロスト運転モード実行時の温度上昇率に応じて、前記強化デフロスト運転モードの繰り返しを判断するので、強固な凍結を検知でき、確実に除霜できる。
【００１７】
また、請求項３に記載の発明では、前記制御手段は、前記温度検知手段を介して取得した温度情報がデフロスト運転終了温度を満たすと判定した後に、一定時間、前記デフロスト運転モードを継続する延長デフロスト運転モードを有する。
【００１８】
本発明では、一定時間、デフロスト運転モードをさらに継続するので、温度検知手段の配設位置による検出誤差を許容した除霜が可能である。
【００１９】
また、請求項４に記載の発明では、室外気との間で熱交換を行う室外熱交換器と、当該室外熱交換器の温度を検知する温度検知手段と、前記室外熱交換器に熱を与えて霜を溶かす通常デフロスト運転モードと、当該通常デフロスト運転モードよりもより多くの熱を室外熱交換器に与えて霜を溶かす強化デフロスト運転モードと、を有する制御手段と、を備える空気調和機のデフロスト制御方法を提供するものであり、前記制御手段が、デフロストを開始すると判定した後、前記温度検知手段からの温度情報に基づく前記室外熱交換器の温度上昇率に応じて通常デフロスト運転モードと強化デフロスト運転モードとを選択し実行する。
【００２０】
本発明では、制御手段がデフロストを開始すると判定した後の前記温度検知手段からの温度情報に基づく前記室外熱交換器の温度上昇率に応じて通常デフロスト運転モードと強化デフロスト運転モードとを選択するので、温度センサを用いて着霜の状態を的確に判断でき、過不足のない熱量を与えて除霜することができる。
【００２１】
また、請求項５に記載の発明では、前記制御手段は、前記強化デフロスト運転モードを選択後、前記温度検知手段からの温度情報を取得し、当該温度情報に基づく前記室外熱交換器の強化デフロスト時温度上昇率に応じて、前記強化デフロスト運転モードの繰り返しの要否を判断し、前記強化デフロスト運転モードの繰り返しを要すると判断した場合には、前記デフロストを開始すると判定した後、強化デフロスト運転モードを実行する。
【００２２】
本発明では、強化デフロスト運転モード実行時の温度上昇率に応じて、前記強化デフロスト運転モードの繰り返しを判断し、繰り返しを要する場合には、デフロスト開始指示を受けた際に強化デフロストモードを必ず実行する制御を行うので、強固な凍結を検知でき、確実に除霜できる。
【００２３】
また、請求項６に記載の発明では、前記制御手段は、前記強化デフロスト運転モードの繰り返しを要すると判断した場合に強化デフロスト強制回数を設定し、当該強化デフロスト強制回数に応じて、前記デフロストを開始すると判定した後、強化デフロスト運転モードを実行する処理を繰り返す。
【００２４】
本発明では、強化デフロスト強制回数を設定し、強化デフロスト強制回数に応じて、前記デフロストを開始すると判定した後、強化デフロスト運転モードを実行するので、一回の強化デフロスト運転により温度センサにより検知するのが困難である部分的に強固な着霜が残った場合でも、不用意に通常デフロスト運転することなく完全な除霜を実現できる。
【００２５】
また、請求項７に記載の発明では、前記制御手段は、前記温度検知手段を介して取得した温度情報がデフロスト運転終了温度を満たすと判定した後に、一定時間、前記デフロスト運転モードを継続する。
【００２６】
本発明では、一定時間、デフロスト運転モードをさらに継続するので、温度検知手段の配設位置による検出誤差を許容した除霜が可能である。
【００２７】
【発明の実施の形態】
以下、本発明に係る空気調和機およびおよび該空気調和機のデフロスト制御方法につき、図１乃至図５を用いて説明する。
〔第１実施形態〕
まず、本発明に係る空気調和機の第１の実施形態を、図１乃至図２に基づき説明する。図１は、本実施形態に係る空気調和機が採用する冷媒回路の一例を示す概略構成図である。
【００２８】
図１に示したように、空気調和機１は、室外機２と室内機３とを備える。室外機２と室内機３とは、熱媒体として冷媒を用いて熱搬送を行うために冷媒配管４により接続される。
【００２９】
ここで、室外機２は、冷媒を圧縮する圧縮機２１、冷媒配管４内での冷媒の流れを切り替える四方弁２２、冷媒を断熱膨張させるキャピラリチューブ２３、外気との間で熱交換を行う室外熱交換器２４を有する。また、室外機２は、室外熱交換器２４の温度を検知する温度検知手段としての温度センサ２５と、室外熱交換器２４に外気を流通させる室外ファン２６を有するとともに、圧縮機２１、四方弁２２、室外ファン２６の制御や温度センサ２５からの検知温度情報の処理を実行する室外機側制御部２７を備える。なお、温度センサ２５は、室外熱交換器２４の暖房運転時の入口側に設けられる。
【００３０】
一方、室内機３は、室内気との間で熱交換を行う室内熱交換器３１と、室内熱交換器３１を通して室内気を循環させる室内ファン３２を有する。また、室内機３は、室内ファン３２の制御や風向制御、不図示のリモートコントローラなどからの送信情報の処理を実行する室内機側制御部３３を備える。
【００３１】
冷媒配管４は、上述した圧縮機２１、四方弁２２、室内熱交換器３１、キャピラリチューブ２３、室外熱交換器２４を接続して冷媒回路を形成する。また、図１に示したように、室外機側制御部２７と室内機側制御部３３とは、例えば信号線などにより接続されており、空気調和機１の制御手段として機能するものであり、不図示の信号受信部が受け付けたリモートコントローラから送信された制御命令にしたがって、暖房運転モード、冷房運転モードなど、各種運転モードに応じた冷媒回路の形成、各要素の制御を実行するとともに、さらには、デフロスト運転モードに応じた冷媒回路の形成、各要素の制御を実行する。
【００３２】
ここで、制御手段は、外部からの信号や命令情報を受け付ける情報取得手段、情報取得手段が受け付けた情報、処理プログラム、初期設定情報等を記憶する情報記憶手段、情報記憶手段から読み出したプログラムに基づき演算処理等を行い、所定の制御ステップを実行する情報処理手段、制御ステップに応じた電気信号等を制御対象となる四方弁２２等に送信する制御指示手段などを備えるものであり、後に詳述する室外熱交換器２４に熱を与えて霜を溶かす通常デフロスト運転モードと、通常デフロスト運転モードよりもより多くの熱を室外熱交換器２４に与えて霜を溶かす強化デフロスト運転モードと、を有する制御手段としての機能を実現する。
【００３３】
次に、上述した構成の空気調和機が行う空気調和制御として、制御手段により制御・実行される各運転モードでの冷媒回路について説明する。
【００３４】
まず、暖房運転モードの冷媒回路について説明する。暖房運転モードにおいて、制御手段は、四方弁２２の接続方向を切り替え、圧縮機２１で圧縮された高温高圧の冷媒が、四方弁２２を通過した後、室内熱交換器３１に入るように制御する。この室内熱交換器３１において、室内ファン３２が導入した室内気と冷媒との間で熱交換が行われ、放熱した冷媒は凝縮し、加熱された室内気が室内に戻されて室内の暖房が実現されることになる。
【００３５】
そして、液化した冷媒は室外機２側へ送られ、キャピラリチューブ２３で断熱膨張により減圧された後、室外熱交換器２４に入る。室外熱交換器２４おいて、室外ファン２６が導入した室外気と冷媒との間で熱交換が行われ、冷媒を加熱した外気は再度室外へ排出され、吸熱した冷媒は気化して圧縮機２１に戻り、再び高温高圧の冷媒ガスとなって吐出される。以上で、暖房運転の１サイクルが完了する。
【００３６】
他方、冷房運転モードの冷媒回路について説明する。冷房運転モードにおいて、制御手段は、四方弁２２の接続方向を切り替え、圧縮機２１で圧縮された高温高圧の冷媒が、四方弁２２を通過した後、室外熱交換器２４に入るように制御する。この室外熱交換器２４において、室外ファン２６が導入した室外気と冷媒との間で熱交換が行われ、冷媒から吸熱した外気は再度室外へ排出され、放熱した冷媒は液化してキャピラリチューブ２３に送られる。
【００３７】
そして、液化した冷媒は、キャピラリチューブ２３で断熱膨張により減圧された後、室内熱交換器３１に入る。室内熱交換器３１おいて、室内ファン３２が導入した室内気と冷媒との間で熱交換が行われ、吸熱して気化した冷媒は室外機２側へ送られ、冷却された空気は室内に戻される。気化した冷媒は圧縮機２１に戻り、再び高温高圧の冷媒ガスとなって吐出される。以上で、冷房運転の１サイクルが完了する。
【００３８】
また、本実施形態においては、図１に示した冷媒回路を採用し、図６に示したようなバイパス回路を設けないため、制御手段が室外熱交換器２４に着霜した状況にあると判断した場合には、基本的に冷房運転モードと同じ流れとなるように冷媒回路を形成する。
【００３９】
具体的には、制御手段は、室外熱交換器２４で着霜したと判断した際には、デフロスト運転モードとして、圧縮機２１からの高温高圧の冷媒を四方弁２２を介して室外熱交換器２４に供給し、室外熱交換器２４に付着した霜を解凍する。なお、本実施形態では、デフロスト運転時に室内ファン３２及び室外ファン２４は停止状態とする制御を行う。
【００４０】
以下、本実施形態にかかる空気調和機のデフロスト制御方法を図２に基づき説明する。図２は、本実施形態に係る制御手段がデフロスト運転に際して実行するデフロスト運転モード処理手順を示したフローチャートである。本実施形態の制御手段は、図２に示したように、温度検知手段たる温度センサ２５からの温度情報に基づきデフロストを開始するか否かを判定し、デフロストを開始すると判定した後、温度センサ２５からの温度情報に基づく室外熱交換器２４の温度上昇率に応じて通常デフロスト運転モードと強化デフロスト運転モードとを選択し実行するデフロスト運転を行う。以下、このデフロスト運転について詳述する。
【００４１】
前提として、暖房運転モードを制御手段が実行している場合には、室外熱交換器２４において冷媒が吸熱するため、室外熱交換器２４の表面温度が低下することになり、その結果として着霜する。この着霜したか否かの判定を制御手段が行い、着霜していると判定した場合に、図２に示したデフロスト運転モード開始ステップが実行される（Ｓ１）。具体的には、上述したように、四方弁２２を暖房運転モードの状態から反転させ、圧縮機２１から高温高圧の冷媒を室外熱交換器２４に流すことにより、室外熱交換器２４の着霜部への熱の付与を開始する。
【００４２】
ここで、本実施形態におけるデフロスト運転モードを開始するための契機となる着霜有無判定は、暖房運転モードが開始されてからの時間に基づき判断される。例えば、外気温が零下になっているときは運転開始後４０分に行うなど、制御手段が備える情報記憶手段が格納する基準開始時間（暖房運転稼働時間）との比較により行われる。
【００４３】
なお、着霜しているか否かの判定は、不図示の外気温センサからの外気温情報をも加味して、外部環境に応じた基準開始時間の変更してデフロスト運転開始判定を行うようにしても良い。ただし、これらに限られるものではなく、温度センサ２５から取得した室外熱交換器温度情報と通算暖房運転稼働時間などの情報に基づいて着霜有無判定を実行しても良いし、あるいは設置状況や季節などに応じて、データベース等を参照する方式でも良い。加えて、本実施形態では、経験則的に着霜状態にあると推定される状況にあるか否かを判定してデフロスト運転を開始する方式を採用したが、光学センサなどを用いて直接的に着霜していることを認定してデフロスト運転を開始する方式を採用した空気調和機であっても、本発明は好適に機能する。
【００４４】
そして、制御手段は、デフロスト運転を開始してからの温度上昇率により、室外熱交換器２４への着霜状態を判定する（Ｓ２）。詳細には、制御手段は、上述したデフロスト運転モード開始（Ｓ１）からカウントした一定時間内に、室外熱交換器２４の温度が温度センサ２５の検知温度Ｔが設定温度値Ｔ０と一致するか否かを比較判断して着霜状態を判定する。例えば、デフロスト開始後１５０秒で１０℃に到達するか否かという比較判定を行う。
【００４５】
制御手段は、この着霜状態判定（Ｓ２）において、制御手段が備える内蔵時計や内部クロックなどに基づき設定したタイミングで、温度センサ２５によって検知された温度Ｔが設定温度Ｔ０（例えば１０℃）に到達していない場合（Ｔ＜Ｔ０）、すなわち、温度上昇率が設定値以上になっていない場合（例えば０．０６７℃／ｓ）には、室外熱交換器２４の着霜量が著しく多い、または凍結状態にまでなっていると判定し、強化デフロスト運転モードへ移行する（Ｓ３）。
【００４６】
なお、制御手段は、温度上昇率の比較判定ステップとして、情報処理手段により温度上昇率を所定の設定値と比較処理して判定しても良いし、内蔵時計などのタイムカウンタにより指定される所定のタイミングで取得した温度センサからの温度数値を比較して判定しても良い。
【００４７】
ここで、強化デフロスト運転モードとは、通常デフロスト運転モードで予め設定・記憶されている終了設定温度より十分に高い設定温度値を終了設定温度Ｔ１（例えば２５℃）としたモードである。この強化デフロスト運転モードでは、制御手段は、温度センサ２５の検知温度Ｔと終了設定温度Ｔ１とを比較し、検知温度Ｔが終了設定温度Ｔ１よりも小さい場合には強化デフロスト運転モードを継続し、終了設定温度Ｔ１以上になった場合に強化デフロスト運転モードを終了する（Ｓ４）。なお、終了設定温度Ｔ１との比較処理は、所定の時間間隔で行う方式を採用しても良いし、リアルタイムで比較する方式を採用しても良い。
【００４８】
このように、通常デフロスト運転モードの時よりも高い温度までデフロスト運転することにより、通常デフロスト運転モードよりもより多くの熱を室外熱交換器２４に与えるものであり、凍結状態であっても確実に除霜することにより熱交換効率の回復、ひいては暖房能力の回復を実現する。
【００４９】
一方、制御手段は、前述した着霜状態判定ステップにおいて（Ｓ２）、検知温度Ｔが設定温度Ｔ０以上であると判定した場合（Ｔ≧Ｔ０）、すなわち、温度上昇率が設定値以上であると判定した場合には、通常デフロスト運転モードで溶融できる着霜状態であると判定し、通常デフロスト運転モードを開始する（Ｓ６）。
【００５０】
この通常デフロスト運転モードでは、上述したように強化デフロスト運転モードよりも低い終了設定温度ＴＮを判定基準とする。具体的には、例えば１４℃や１８℃といった温度から設置環境に応じて選択的に設定された値が情報記憶手段に格納される。制御手段は、温度センサ２５の検知温度Ｔと終了設定温度ＴＮとを比較し、検知温度Ｔが終了設定温度ＴＮよりも小さい場合には通常デフロスト運転モードを継続し、終了設定温度ＴＮ以上になった場合に通常デフロスト運転モードを終了する（Ｓ７）。なお、終了設定温度ＴＮとの比較処理は、所定の時間間隔で行う方式を採用しても良いし、リアルタイムで比較する方式を採用しても良い。
【００５１】
そして、上述した強化デフロスト運転モードもしくは通常デフロスト運転モードを終了した場合には、制御手段は、四方弁２２を切り替えるとともに室外ファン２６および室内ファン３２の駆動を命令するなどして、再度、暖房運転モードを実行する。
【００５２】
以上説明したように、本実施形態に係る空気調和機１の制御手段は、室外熱交換器２４の背面部側が凍結した場合でも、温度上昇率に着眼した着霜状態判定ステップ（Ｓ２）によって着霜レベルを検知し、凍結に至っている場合等には、終了設定温度が十分に高い温度の強化デフロスト運転モードを実行することにより、室外熱交換器２４には十分な熱量を供給するので、室外熱交換器２４の凍結及び多量の着霜時に有効なデフロストが可能となる。さらには、着霜レベルに応じたデフロスト運転モードの選択を行うため、空気調和機の運転制御全体で見ると適正なデフロスト稼動時間でのデフロスト処理を行うことができ、結果として、暖房能力の低下を招くことなく暖房時間も確保できる。
【００５３】
〔第２実施形態〕
続いて、本発明に係る第２の実施形態について図３に基づき説明する。本実施形態においても、先に述べた図１に示した第１実施形態と同様の装置構成、冷媒回路構成を採用する。本実施形態では、制御手段は、温度検知手段たる温度センサ２５を介して取得した温度情報がデフロスト運転終了温度を満たすと判定した後に一定時間デフロスト運転を継続する延長デフロスト運転モードを有する。
【００５４】
より具体的には、強化デフロスト運転モードでの終了設定温度判定後の制御フローを改良し、より確実に除霜を完遂するように制御する。以下、図３を用いて本実施形態に係る制御について詳細に説明する。なお、図３において、前述した第１の実施形態における制御ステップと同一の制御を行うステップについては同一の符号を付し、説明を省略する。
【００５５】
まず、制御手段は、第１実施形態と同様に、デフロスト運転モードが開始（Ｓ１）されてからの温度上昇率を用いた着霜状態判定（Ｓ２）を行い、所定の温度上昇率以上でデフロスト運転が機能した場合には、通常のデフロスト運転モードに移行し（Ｓ６）、終了設定温度ＴＮを用いて終了判定する（Ｓ７）。
【００５６】
一方、制御手段は、所定の温度上昇率を満たさなかった場合には、強化デフロスト運転モードに移行し（Ｓ３）、通常デフロスト運転モードの終了設定温度ＴＮよりも高い終了設定温度Ｔ１に温度センサ２５の検知温度Ｔが到達するか否かを判定する（Ｓ４）。
【００５７】
ただし、本実施形態においては、制御手段は、この終了設定温度Ｔ１と検知温度Ｔとが一致するか、あるいはそれ以上である判断した場合（Ｓ４）に、四方弁２２の切り替えなどをしてデフロスト制御を終了する処理を即座に実行することはせず、更に強化デフロスト運転モードを一定時間（例えば５分）継続する延長デフロスト運転制御を行う（Ｓ５）。このように、制御手段が延長デフロスト運転モードを有することにより、温度センサ２５の取付位置と実際の着霜部とが離れていることに起因する実温度との乖離分をも含んだ熱量供給を行うことができ、ひいては、より確実に除霜を実現できる。
【００５８】
なお、本実施形態においては，通常デフロスト運転モードを温度ＴＮの検知により終了させる処理を採用したが、例えば、寒冷地などにおいては、通常デフロスト運転モードにおいても、制御手段が、終了設定温度ＴＮと検知温度Ｔとが一致するか、あるいはそれ以上である判断した場合に、デフロスト制御を終了する処理を即座に実行することはせず、更に、通常デフロスト運転モードを一定時間（例えば２分）継続する延長デフロスト運転処理を行う制御ステップを実行する処理フローを採用しても良い。
【００５９】
また、上述した第１および第２の実施形態に示したような強化デフロスト運転モードの終了判定処理ステップの変形例として、制御手段が所定の時間デフロスト運転が継続された場合にデフロスト運転を終了させる強制終了時間判定を終了温度判定とともに行うようにしても良い。このような制御ステップを加えた場合には、デフロスト運転モードの稼働時間の抑制を制御として実現することができるので、空気調和機の暖房性能低下の防止や高圧保護を図ることができるので、より好ましいといえる。
【００６０】
〔第３実施形態〕
さらに、本発明に係る第３の実施形態について図４に基づき説明する。本実施形態においても、先に述べた図１に示す第１実施形態と同様の装置構成、冷媒回路構成を採用し、強化デフロスト運転モードと通常デフロスト運転モードとを選択・実行するシーケンスを備える。そして、本実施形態における制御手段は、強化デフロスト運転モードを選択後、温度検知手段たる温度センサからの温度情報を取得し、温度情報に基づく室外熱交換器２４の強化デフロスト時の温度上昇率に応じて、強化デフロスト運転モードの繰り返しを判断する。
【００６１】
より具体的には、強化デフロスト時温度上昇率に基づき強化デフロスト運転モードの運転効果を判定する判定処理をさらに有し、効果が不十分である場合にはデフロスト運転の指示を受けた場合に運転モードの選択を行わず強化デフロスト運転モードを強制的に実行する処理を行うことにより、より強固な凍結状態に対応できるように制御する。また、制御手段は、デフロスト稼動時間を検知して、強制終了させる判定処理をも備える。
【００６２】
以下、本実施形態のデフロスト運転制御を図４に基づき詳細に説明する。図４は、本実施形態に係る制御手段がデフロスト運転に際して実行する処理手順を示したフローチャートである。
【００６３】
ここで、制御手段は、最初に暖房運転モードを開始した時には、初期パラメータとして不図示の情報記憶手段に強化デフロスト強制回数Ｃを「０」として格納している。後に詳述するが、デフロスト運転モードと暖房運転モードを交互に繰り返して運転している場合には、この強化デフロスト強制回数Ｃの値に０以外の数値が入っている場合もある。
【００６４】
まず、制御手段は、第１実施形態と同様に、温度センサ２５等からの情報に基づき、室外熱交換器２４の着霜を判断して、暖房運転モードからデフロスト運転モードに移行する（Ｓ１１）。
【００６５】
続いて、本実施形態においては、制御手段は強化デフロスト強制回数Ｃのチェックを行う（Ｓ１２）。運転開始当初は、強化デフロスト強制回数Ｃが「０」であるので、制御手段は、前述した第１実施形態と同様に温度上昇率に基づき室外熱交換器２４の着霜状態判定を行うステップ（Ｓ１３）へと移行する。
【００６６】
着霜状態判定ステップ（Ｓ１３）においては、前述した実施形態と同様に、制御手段は、デフロスト運転開始（Ｓ１１）から一定時間後に室外熱交換器２４に設置した温度センサ２５の検知温度Ｔが設定温度Ｔ０に到達したかを判定し、設定温度Ｔ０に到達している場合には通常デフロスト運転モード開始（Ｓ２０）を選択し、未達時には、室外熱交換器２４の着霜量が多い、または凍結している状態にあると判定して強化デフロスト運転モード開始（Ｓ１４）を選択する。
【００６７】
そして、強化デフロスト運転モードに移行した場合に、本実施形態の特徴として、制御手段は、更に、強化デフロスト運転が開始してから一定時間内に設定温度Ｔ２に到達するか否か、すなわち、強化デフロスト運転時の温度上昇率が所定の設定値を満たすか否かを判定する（Ｓ１５）。この判定処理は、強化デフロスト運転自体が通常デフロスト運転モード実行時よりも多くの熱量を室外熱交換器２４に与えるものであるが、その処理を行って十分に除霜が完了するか否かをさらに検証するシーケンスを採用したものである。例えば、制御手段は、強化デフロスト運転モード開始（Ｓ１４）から１０分で３℃にまで温度上昇を達成できるか否かを判定する。
【００６８】
この温度上昇率判定ステップにおいて、基準となる温度上昇率よりも低い場合には、制御手段は、強固な凍結と判定して強化デフロスト強制回数Ｃに予め定められた繰り返し回数（例えば５回）を設定する（Ｓ１６）。一方、所定の温度上昇率を満たしている場合には、強化デフロスト運転モードを繰り返す必要がないものと判断し、強化デフロスト強制回数Ｃの数値を「０」のまま維持する。
【００６９】
前述した強化デフロスト運転モード時における温度上昇率の判定シーケンス（Ｓ１５，Ｓ１６）を行った後は、制御手段は、強化デフロスト運転の終了判定シーケンス（Ｓ１７〜Ｓ１９）に移行する。
【００７０】
詳細には、以下のステップを実行する。制御手段は、所定の稼動時間ｔ１に渡り、デフロスト運転が継続された場合にデフロスト運転を終了させる強制終了時間判定を行う（Ｓ１７）。具体的には、デフロスト運転開始から１４分などの設定値と比較し、これを超えた場合には強化デフロスト運転モードを終了する。一方、所定の稼働時間ｔ１が経過していない場合には、終了温度判定ステップ（Ｓ１８）に移行する。
【００７１】
この終了温度判定ステップでは、制御手段は、温度センサ２５の検知温度Ｔと終了設定温度Ｔ１とを比較し、検知温度Ｔが終了設定温度Ｔ１よりも小さい場合には強化デフロスト運転モードを継続し、終了設定温度Ｔ１以上になった場合には、更にデフロスト運転を一定時間（例えば５分）継続する延長デフロスト運転制御（Ｓ１９）を行った後、デフロスト運転を終了する。
【００７２】
なお、デフロスト開始時の温度上昇率判定ステップ（Ｓ１３）において、制御手段が所定の温度上昇率以上であると判定した場合には、通常のデフロスト運転モードに移行し（Ｓ２０）、強化デフロスト運転モードにおける終了設定温度Ｔ１よりも低い終了設定温度ＴＮを用いて終了判定する（Ｓ２１）。
【００７３】
以上が、暖房運転から最初にデフロスト運転へと移行した場合の処理であるが、デフロスト運転モード終了に際して、上述した処理において強化デフロスト運転時における温度上昇率が設定値以下と判定され、除霜効果が不十分であると推定されて、強化デフロスト強制回数Ｃに「５」が設定された場合には、制御手段は、情報記憶手段の所定の記憶領域に強化デフロスト強制回数Ｃの値を格納する処理を行う。
【００７４】
そして、デフロスト運転が終了し、暖房運転モードに戻った後、再度、所定の暖房運転稼動時間が経過するなど、室外熱交換器２４に着霜が生じている状況を示唆するデフロスト運転開始の条件が満たされた場合にはデフロスト運転モードが実行されることになる。
【００７５】
このとき、上述した強化デフロスト強制回数Ｃが「０」のままである場合には、上述したＳ１３以降の処理が繰り返されることになるが、例えば、強化デフロスト強制回数Ｃが「５」である場合には、制御手段は、デフロスト強制回数チェックステップ（Ｓ１２）においてＣ＝０でないと判断し、繰り返し強化デフロスト運転モードへと移行する（Ｓ２２）。すなわち、制御手段は、強化デフロスト強制回数Ｃを参照して、通常デフロスト運転モード実行の可否を判定し、強化デフロスト強制回数Ｃが「０」でない、すなわち強化デフロスト運転モードの繰り返しが設定されていない場合には、温度上昇率判定ステップを実行することなく強化デフロスト運転モードを実行する。
【００７６】
ここで、本実施形態における繰り返し強化デフロスト運転モードにおける制御は、上述した強化デフロスト運転の終了判定シーケンス（Ｓ１７〜Ｓ１９）と同様の制御処理を行うものであり、制御手段は、デフロスト運転開始から１４分などの設定値と比較し（Ｓ２３）、これを超えた場合には強化デフロスト運転モードを終了し、所定の稼働時間ｔ１が経過していない場合には、終了温度判定ステップ（Ｓ２４）に移行する。続いて、制御手段は、温度センサ２５の検知温度Ｔと終了設定温度Ｔ１とを比較し、検知温度Ｔが終了設定温度Ｔ１よりも小さい場合には繰り返し強化デフロスト運転モードを継続し、終了設定温度Ｔ１以上になった場合には、更にデフロスト運転を一定時間（例えば５分）継続する延長デフロスト運転処理を行う（Ｓ２５）。
【００７７】
ただし、本実施形態においては、制御手段は、延長デフロスト運転処理を行った後、強化デフロスト強制回数Ｃの値を１減じる処理を行い（Ｓ２６）、減じた値を情報記憶手段の所定の記憶領域に強化デフロスト強制回数Ｃとして格納する。したがって、この繰り返し強化デフロスト運転モードが繰り返されることにより、最終的には強化デフロスト強制回数Ｃの値が「０」となる。
【００７８】
以上説明したように、本実施形態では、制御手段が、強化デフロスト運転モードを実行した際に、強化デフロスト運転時の除霜効果について判定し（Ｓ１５）、強化デフロスト運転モードを一度運転するだけでは室外熱交換器２４の着霜状態が解消されない状態にある場合に、強化デフロスト強制回数を設定し（Ｓ１６）、情報記憶手段の所定の記憶領域に格納する。
【００７９】
そして、制御手段が、再度、デフロスト運転モードの開始命令を受け付けた場合に、格納した強化デフロスト強制回数を参照して強化デフロスト運転モードを強制的に実行する処理シーケンス（Ｓ１２，Ｓ２２）を採用することにより、強化デフロスト運転モードを一回実行しただけでは室外熱交換器２４の霜が完全に除去できないレベルに着霜状態があっても、不用意に通常デフロスト運転モードに移行することなく、強化デフロスト運転モードが複数回実行されるので、強固な凍結及び多量の着霜時においても有効なデフロスト処理が可能となる。
【００８０】
〔第４実施形態〕
続いて、本発明に係る第４の実施形態について図５に基づき説明する。本実施形態においても、先に述べた図１に示す第１実施形態と同様の装置構成、冷媒回路構成を採用し、強化デフロスト運転モードと通常デフロスト運転モードとを選択・実行するシーケンスを備える。そして、本実施形態における制御手段は、前述した第３実施形態における強化デフロスト運転モードの反復運転制御を採用するものであるが、強化デフロスト強制回数の設定アルゴリズムを変更し、シーケンスの分岐条件を少なくして空気調和機の廉価機種にも好適に実施できるようにしている。
【００８１】
以下、具体的に本実施形態のデフロスト運転制御を説明する。図５は、本実施形態に係る制御手段がデフロスト運転に際して実行する処理手順を示したフローチャートである。
【００８２】
本実施形態においても、制御手段は、最初に暖房運転モードを開始した時には、初期パラメータとして不図示の情報記憶手段に強化デフロスト強制回数Ｃを「０」として格納している。
【００８３】
まず、制御手段は、前述した実施形態と同様に、暖房運転モードの稼働時間を制御手段の内蔵時計などに基づきカウントし、室外熱交換器２４の着霜を判断して、暖房運転モードからデフロスト運転モードに移行する（Ｓ３１）。
【００８４】
続いて、制御手段は、初期デフロスト運転時の温度上昇率を判定すべく、デフロスト運転開始（Ｓ３１）から一定時間後に室外熱交換器２４に設置した温度センサ２５の検知温度Ｔが設定温度Ｔ０に到達したかを判定し（Ｓ３２）、未達時には、室外熱交換器２４の着霜量が多い、または凍結している状態にあると判定して強化デフロスト運転モード開始（Ｓ３３）を選択する。
【００８５】
一方、設定温度Ｔ０に到達している場合には、本実施形態の特徴として、制御手段は強化デフロスト強制回数Ｃのチェックを行う（Ｓ４１）。運転開始当初は、強化デフロスト強制回数Ｃが「０」であるので、制御手段は、通常デフロスト運転モード開始（Ｓ４２）を選択した後、強化デフロスト運転モードにおける終了設定温度Ｔ１よりも低い終了設定温度ＴＮを用いて終了判定する（Ｓ４３）。さらに、本実施形態では、通常デフロスト運転モードにおいても、所定の温度になったあと一定時間デフロスト運転を継続する延長デフロスト運転制御処理を採用する（Ｓ４４）。
【００８６】
なお、通常デフロスト運転モードにおける延長デフロストの継続時間は、強化デフロスト運転モードにおける延長デフロストの継続時間よりも短い時間として、室外熱交換器２４に供給する熱量を少なく設定する。例えば、強化デフロスト運転モードにおける延長デフロスト運転時間が５分の場合、通常デフロスト運転モードにおける延長デフロスト運転時間は２分に設定する。
【００８７】
また、制御手段が上述した強化デフロスト強制回数Ｃのチェックを行った際に（Ｓ４１）、強化デフロスト強制回数Ｃが「０」でない場合、すなわち、強化デフロスト運転モードの強制繰り返し運転するように設定されている場合には、制御手段は、強化デフロスト運転モード開始（Ｓ３３）へと移行する。本実施形態では、この判定により、前述した第３実施形態と同様に、強制的に通常デフロスト運転モードを回避して強化デフロスト運転モードを実行する処理を実現するものである。
【００８８】
そして、強化デフロスト運転モードに移行した場合には、第３実施形態と同様に、制御手段は、強化デフロスト運転が開始してから一定時間内に設定温度Ｔ２に到達するか否か、すなわち、強化デフロスト運転時の温度上昇率が所定の設定値を満たすか否かを判定する（Ｓ３４）。例えば、制御手段は、強化デフロスト運転モード開始（Ｓ３３）から１０分で３℃にまで温度上昇を達成できるか否かを判定する。
【００８９】
この温度上昇率判定ステップにおいて、基準となる温度上昇率よりも低い場合には、制御手段は、強固な凍結と判定して強化デフロスト強制回数Ｃに予め定められた繰り返し回数（例えば５回）を設定する（Ｓ３５）。本実施形態では、今まで強化デフロスト運転モードを繰り返していたとしても、それに関わらず、毎回強化デフロスト運転開始時の温度上昇率について判断を行う。これは、デフロスト運転モード終了後の暖房運転時に、環境条件が急激に変化して室外熱交換器２４が再び強固な凍結状態に戻った場合であっても、確実に解凍し、暖房能力の回復ができるようにしたものである。
【００９０】
なお、所定の温度上昇率を満たしている場合には、制御手段は、強化デフロスト強制回数Ｃのチェックを行い（Ｓ３６）、強化デフロスト運転モードが繰り返されている場合には強化デフロスト強制回数Ｃを減じる処理を行い（Ｓ３７）、繰り返し設定がなされていない場合にはそのまま次の終了判定シーケンス（Ｓ３８〜Ｓ４０）へと移行する。
【００９１】
この終了判定シーケンスも前述した第３実施形態と同様であり、制御手段は、所定の稼動時間ｔ１に渡り、デフロスト運転が継続された場合にデフロスト運転を終了させる強制終了時間判定を行い（Ｓ３８）、設定値を超えた場合には強化デフロスト運転モードを終了し、設定値に至っていない場合には、終了温度判定ステップ（Ｓ３９）に移行する。そして、制御手段は、温度センサ２５の検知温度Ｔと終了設定温度Ｔ１とを比較し、検知温度Ｔが終了設定温度Ｔ１よりも小さい場合には強化デフロスト運転モードを継続し、終了設定温度Ｔ１以上になった場合には、更にデフロスト運転を一定時間継続する延長デフロスト運転制御（Ｓ４０）を行った後、デフロスト運転を終了する。
【００９２】
以上説明したように、本実施形態においても、制御手段が、強化デフロスト運転モードを実行した際に、強化デフロスト運転時の除霜効果について判定し（Ｓ３４）、強化デフロスト運転モードを一度運転するだけでは室外熱交換器２４の着霜状態が解消されない状態にある場合に、強化デフロスト強制回数を設定し（Ｓ３５）、情報記憶手段の所定の記憶領域に格納する。
【００９３】
そして、制御手段が、デフロスト運転モードの開始命令を受け付けた場合に、格納した強化デフロスト強制回数を参照して強化デフロスト運転モードを強制的に実行する処理シーケンス（Ｓ４１，Ｓ３３）を採用することにより、強化デフロスト運転モードを一回実行しただけでは室外熱交換器２４の霜が完全に除去できないレベルに着霜状態があっても、不用意に通常デフロスト運転モードに移行することなく、強化デフロスト運転モードが複数回実行されるので、強固な凍結及び多量の着霜時においても有効なデフロスト処理が可能となる。
【００９４】
なお、以上説明した第３および第４の実施形態においては、強化デフロスト運転回数Ｃを「５」としたが、不図示の外気温センサから得た外気温に応じて値を増減させて設定する処理を行っても良いし、また、強化デフロスト時の温度上昇率の数値に応じて、複数の強化デフロスト強制回数を段階的に設定する処理を行っても良い。
【００９５】
また、上述した実施形態において、四方弁２２を切り替えて室外熱交換器２４に高温高圧の冷媒を流入させる方式を採用したが、室外熱交換器に熱を供給する方式であれば、これに限られることはない。
【００９６】
例えば、図６に示したようなバイパス回路を用いて高温の冷媒を流入させる正サイクルデフロスト方式を採用し、強化デフロストの場合と通常デフロストの場合で、バイパス回路中の流量を異ならせて、総熱量のみならず単位時間あたりの供給熱量を増加させる構成としても良い。また、単に三方弁を用いて高温の冷媒を室内熱交換器に流すかバイパス回路を介して室外熱交換器に流すかを選択するホットガスデフロスト方式を採用しても良い。
【００９７】
さらには、冷媒回路の構成要素についても、図１に示したものに限られず、四方弁２２に代えて三方弁を複数用いて冷媒流の方向を切り替える構成としても良いし、キャピラリチューブ２３に代えて膨張弁を用いた構成としても良い。
【００９８】
加えて、上述した実施形態においては、初期に開始されるデフロスト運転の後に強化デフロスト運転モードと通常デフロスト運転モードとを選択するものであるが、ここでいう運転モードの選択は、初期に開始されるデフロスト運転と異なる運転モードの選択に限られるものではなく、例えば、初期のデフロスト開始が通常デフロスト運転モードの制御シーケンスの開始であり、温度上昇率判定の後に選択される運転モードの選択肢が、強化デフロスト運転モードへの移行を選択するものと、通常デフロスト運転モードの継続を選択するプログラムであっても良い。
【００９９】
【発明の効果】
以上説明したように、本発明は、温度上昇率により着霜状態を判定するので、確実にデフロストでき、暖房能力を高レベルで維持することができる。
【０１００】
特に、請求項１に記載の発明では、室外熱交換器に熱を与えて霜を溶かす通常デフロスト運転モードと、当該通常デフロスト運転モードよりもより多くの熱を室外熱交換器に与えて霜を溶かす強化デフロスト運転モードと、を有する制御手段がデフロストを開始すると判定した後の前記温度検知手段からの温度情報に基づく前記室外熱交換器の温度上昇率に応じて通常デフロスト運転モードと強化デフロスト運転モードとを選択するので、温度センサを用いて着霜の状態を的確に判断でき、過不足のない熱量を与えて除霜することができる。
【０１０１】
また、請求項２に記載の発明では、強化デフロスト運転モード実行時の温度上昇率に応じて、前記強化デフロスト運転モードの繰り返しを判断するので、強固な凍結を検知でき、確実に除霜できる。
【０１０２】
また、請求項３に記載の発明では、一定時間、デフロスト運転モードを継続する運転モードを有するので、温度検知手段の配設位置による検出誤差を許容した除霜が可能である。
【０１０３】
また、請求項４に記載の発明では、制御手段がデフロストを開始すると判定した後の前記温度検知手段からの温度情報に基づく前記室外熱交換器の温度上昇率に応じて通常デフロスト運転モードと強化デフロスト運転モードとを選択するので、温度センサを用いて着霜の状態を的確に判断でき、過不足のない熱量を与えて除霜することができる。
【０１０４】
また、請求項５に記載の発明では、強化デフロスト運転モード実行時の温度上昇率に応じて、前記強化デフロスト運転モードの繰り返しを判断し、繰り返しを要する場合には、デフロスト開始指示を受けた際に強化デフロストモードを必ず実行する制御を行うので、強固な凍結を検知でき、確実に除霜できる。
【０１０５】
また、請求項６に記載の発明では、強化デフロスト強制回数を設定し、強化デフロスト強制回数に応じて、前記デフロストを開始すると判定した後、強化デフロスト運転モードを実行するので、一回の強化デフロスト運転により温度センサにより検知するのが困難である部分的に強固な着霜が残った場合でも、不用意に通常デフロスト運転することなく完全な除霜を実現できる。
【０１０６】
また、請求項７に記載の発明では、一定時間、デフロスト運転モードを継続するので、温度検知手段の配設位置による検出誤差を許容した除霜が可能である。
【図面の簡単な説明】
【図１】本発明の一実施形態に係る空気調和機の冷媒回路を示す概略構成図である。
【図２】本発明の第１の実施形態におけるデフロスト制御を示すフローチャートである。
【図３】本発明の第２の実施形態におけるデフロスト制御を示すフローチャートである。
【図４】本発明の第３の実施形態におけるデフロスト制御を示すフローチャートである。
【図５】本発明の第４の実施形態におけるデフロスト制御を示すフローチャートである。
【図６】従来の空気調和機の冷媒回路を示す概略構成図である。
【符号の説明】
１…空気調和機
２…室外機
３…室内機
４…冷媒配管
５…空気調和機
６…室外機
７…室内機
８…冷媒配管
２１…圧縮機
２２…四方弁
２３…キャピラリチューブ
２４…室外熱交換器
２５…温度センサ
２６…室外ファン
２７…室外機側制御部
３１…室内熱交換器
３２…室内ファン
３３…室内機側制御部
６１…圧縮機
６２…四方弁
６３…膨張弁
６４…室外熱交換器
６５，６６，６７…温度センサ
７１…室内熱交換器
７２…温度センサ
【図１】
2004232981.tif 000003
【図２】
2004232981.tif 000004
【図３】
2004232981.tif 000005
【図４】
2004232981.tif 000006
【図５】
2004232981.tif 000007
【図６】
2004232981.tif 000008